(57)【要約】  無線基地局装置は、無線制御部、無線装置部および無線装置部間ＩＱスイッチを備える。無線制御部は、異なるアンテナキャリア向けのＩＱデータを合成して１つのＣＰＲＩリンクに送信する。また、無線制御部は、合成したＩＱデータのマッピング情報を生成して全ての無線装置部へ送信する。無線装置部は、無線制御部からＩＱの合成データとそのマッピング情報を受け取る。そして、無線装置部は、その合成データを各アンテナキャリアのＩＱデータに分解し、各ＩＱデータをマッピング情報に基づいて自身宛または他の無線装置部宛に送信する。無線装置部間ＩＱスイッチは、無線装置部から他の無線装置部宛のＩＱデータを受け取り、そのＩＱデータを該当する他の無線装置部へ転送する。
2008146394.tif 000002
【特許請求の範囲】
【請求項１】
ＩＱデジタル信号の送受信機能およびアナログ無線機能を有する複数の無線装置部と、これら無線装置部による無線通信の監視制御を司る無線制御部を有し、各無線装置部が互いに独立した無線基地局装置内のリンクにより無線制御部に接続された無線基地局装置において、
異なるアンテナキャリア向けのＩＱデータを合成して１つの前記無線基地局装置内のリンクに送信するとともに、合成されたＩＱデータのマッピング情報を生成して無線装置部へ送信する無線制御部と、
前記無線制御部からＩＱの合成データおよびマッピング情報を受け取り、該合成データを各アンテナキャリアのＩＱデータに分解し、各ＩＱデータを前記マッピング情報に基づいて自身宛または他の無線装置部宛に送信する無線装置部と、
前記無線装置部から他の無線装置部宛のＩＱデータを受け取り、該ＩＱデータを該当する他の無線装置部へ転送する無線装置部間転送手段と、
を備えることを特徴とする無線基地局装置。
【請求項２】
前記無線制御部は、各アンテナキャリアに対して動的に送信ダイバーシティの有無および受信ダイバーシティの有無を制御するダイバーシティ制御手段、をさらに備えることを特徴とする請求項１に記載の無線基地局装置。
【請求項３】
前記無線制御部は、前記無線装置部間でマッピング情報の送受信を行うためのアドレス情報を各無線装置部に供給するアドレス供給手段、をさらに備え、
前記無線装置部は、前記無線制御部から与えられたアドレス情報の設定を行い、該アドレス情報に従って前記無線制御部および他の無線装置部との間でマッピング情報の送受信を行うことを特徴とする請求項１に記載の無線基地局装置。
【請求項４】
ＩＱデジタル信号の送受信機能およびアナログ無線機能を有し、無線基地局装置内の無線制御部に、他から独立したＣＰＲＩリンクにより接続される無線装置において、
ＩＱデータの送受信を行う無線部と、
異なるアンテナキャリア向けのＩＱデータが合成された合成データを各アンテナキャリアのＩＱデータに分解し、各ＩＱデータの転送先を、前記合成データのマッピング情報に基づいて自身の前記無線部と他の無線装置の間で切り替える転送先切り替え手段と、
を備えることを特徴とする無線装置。
【請求項５】
他の無線装置との間でマッピング情報の送受信を行うための無線装置間経路に接続されるインタフェース、をさらに備えることを特徴とする請求項４に記載の無線装置。
【請求項６】
他の無線装置との間でマッピング情報の送受信を行うためのアドレス情報を受信し、該アドレス情報の設定を行うアドレス設定手段、をさらに備えることを特徴とする請求項４に記載の無線装置。
【請求項７】
ＩＱデジタル信号の送受信機能およびアナログ無線機能を有する複数の無線装置部と、これら無線装置部による無線通信の監視制御を司る無線制御部を有し、各無線装置部が互いに独立した無線基地局装置内のリンクにより無線制御部に接続された無線基地局装置においていずれかのリンクが切れた場合の無線基地局装置内のリンク断救済方法であって、
異なるアンテナキャリア向けのＩＱデータを合成して１つの無線基地局装置内のリンクに送信するとともに、合成されたＩＱデータのマッピング情報を生成して無線装置部へ送信するステップと、
前記ＩＱの合成データおよびマッピング情報を受け取り、該合成データを各アンテナキャリアのＩＱデータに分解し、各ＩＱデータを前記マッピング情報に基づいて自身宛または他の無線装置部宛に送信するステップと、
他の無線装置部宛のＩＱデータを受け取り、該ＩＱデータを該当する他の無線装置部へ転送するステップと、
を含むことを特徴とする無線基地局装置内のリンク断救済方法。
【発明の詳細な説明】
【技術分野】
【０００１】
本発明は、無線基地局装置、無線装置および無線基地局装置内のリンク断救済方法に関するものであり、特にＣＰＲＩ（Ｃｏｍｍｏｎ  Ｐｕｂｌｉｃ  Ｒａｄｉｏ  Ｉｎｔｅｒｆａｃｅ）を利用した装置および方法に関する。
【背景技術】
【０００２】
図１４は、従来の無線基地局装置の構成を示す図である。図１４に示すように、無線基地局装置１は、無線通信の監視制御を司る１つの無線制御部２と、ＩＱデジタル信号の送受信機能およびアナログ無線機能を有する複数の無線装置部３，４，５を有する。各無線装置部３，４，５は、それぞれ、光ファイバーによるＣＰＲＩリンク６，７，８により無線制御部２に接続されている。無線装置部３，４，５は、まとめて一つの架に収容されることが多い。各無線装置部３，４，５は、それぞれ、対応するセクタ９，１０，１１内の移動端末１２，１３，１４と無線により通信する。【０００３】
無線制御部２と各無線装置部３，４，５のインタフェースには、ＣＰＲＩ（Ｃｏｍｍｏｎ  Ｐｕｂｌｉｃ  Ｒａｄｉｏ  Ｉｎｔｅｒｆａｃｅ）が用いられている。ＣＰＲＩの仕様については、下記非特許文献１に開示されている。ここで、無線制御部および無線装置部は、それぞれ、ＣＰＲＩの仕様では制御部（ＲＥＣ：Ｒａｄｉｏ  Ｅｑｕｉｐｍｅｎｔ  Ｃｏｎｔｒｏｌ）および無線部（ＲＥ：Ｒａｄｉｏ  Ｅｑｕｉｐｍｅｎｔ）と呼ばれている。【０００４】
図１５に、ＣＰＲＩで定義されるプロトコルの概要を示す。ユーザ情報転送プレーン（Ｕｓｅｒ  Ｐｌａｎｅ）２１では、ＩＱデータが用いられる。このＩＱデータは、デジタルベースバンド信号のユーザ情報であり、ＩＱデータブロック２２に格納される。保守監視信号の送受信は、コントロール・アンド・マネージメント情報プレーン（Ｃｏｎｔｒｏｌ  ＆  Ｍａｎａｇｅｍｅｎｔ  Ｐｌａｎｅ）２３を用いて行われる。その際、ＨＤＬＣ（Ｈｉｇｈ−ｌｅｖｅｌ  Ｄａｔａ  Ｌｉｎｋ  Ｃｏｎｔｒｏｌ  ｐｒｏｃｅｄｕｒｅ）２４のＬＡＰＢ（Ｌｉｎｋ  Ａｃｃｅｓｓ  Ｐｒｏｃｅｄｕｒｅ  Ｂａｌａｎｃｅｄ）プロトコル２５が用いられる。【０００５】
図１６に、コントロール・アンド・マネージメント情報プレーン２３の信号フォーマットの例を示す。図１６において、左の数字はバイト数を示し、上の数字はビット位置を示す。図１７〜図２２に、コントロール・アンド・マネージメント情報プレーン２３のパラメータの例を示す。図１７および図１８には、それぞれ、無線装置部の状態を収集する場合の要求信号２６および応答信号２７が示されている。図１９および図２０には、それぞれ、無線装置部を制御する場合の要求信号２８および応答信号２９が示されている。図２１および図２２には、それぞれ、無線装置部をシステムリセットする場合の要求信号３０および応答信号３１が示されている。【０００６】
図２３〜図２６に、１アンテナキャリア当たりのＩＱデータが１５ビットである場合のＩＱデータブロック２２上のビットマップの例を示す。図２３には、１アンテナキャリア分のＩＱデータを収容する場合の例が示されている。図２３において、Ｉ０およびＱ０は最下位ビット（ＬＳＢ）であり、Ｉ１４およびＱ１４は最上位ビット（ＭＳＢ）である。１アンテナキャリア内において、ＩＱデータは、ＬＳＢからＭＳＢへ交互に、かつ年代順に配置される。また、中間には、リザーブビットが入らない。図２４には、割り当てのない１４ビット目がリザーブビット（ｒ）になっている例が示されている。【０００７】
図２５には、３アンテナキャリア分のＩＱデータを収容する場合の例が示されている。図２６には、８アンテナキャリア分のＩＱデータを、４キャリア（Ｃ１とＣ２、Ｃ３とＣ４、Ｃ５とＣ６、Ｃ７とＣ８）で、各キャリア２ブランチずつ（Ｂｒ０とＢｒ１）のダイバーシティ構成で収容する場合の例が示されている。ＣＰＲＩリンクにおいては、使用するアンテナキャリア数によって使用するデータ量が決まる。そのため、図２６に示すように、最大構成アンテナキャリア数のデータ転送を行う場合にはＩＱデータブロック２２に空きがないが、そうでない場合には、図２５に示すように、ＩＱデータブロック２２に空きがある。【０００８】
ところで、予備伝送路を別途設けることなく、通常使用している伝送路で、障害が発生した伝送路を救済するようにした伝送路救済方式が公知である。この伝送路救済方式は、デジタル交換機と搬送装置とから構成される局を相互に伝送路で接続してなる伝送システムの、前記伝送路が障害を発生したる際に、前記各局共に前記デジタル交換機と搬送装置との間に介在せしめる高能率符号変換装置に、前記デジタル交換機のトランク信号の有無を検出する共に、検出したトランク信号の帯域を圧縮する機能と、圧縮されたトランク信号を空いている伝送路のチャネルに割り当てる通話音声挿入機能とを付加することにより、通話路数を増加せしめ、他局経由で前記障害伝送路の救済を行うようにしたことを特徴とする（例えば、特許文献１参照。）。【０００９】
【特許文献１】特開昭６１−２２４７６５号公報
【非特許文献１】“Ｃｏｍｍｏｎ  Ｐｕｂｌｉｃ  Ｒａｄｉｏ  Ｉｎｔｅｒｆａｃｅ”、［ｏｎｌｉｎｅ］、産業協力団体ＣＰＲＩ、［平成１８年１０月５日検索］、インターネット＜ＵＲＬ：ｈｔｔｐ：／／ｗｗｗ．ｃｐｒｉ．ｉｎｆｏ／ｊｐ／ｐｒｅｓｓ．ｈｔｍｌ＞
【発明の開示】
【発明が解決しようとする課題】
【００１０】
しかしながら、上述した従来構成では、無線装置部ごとにＣＰＲＩリンクが独立しており、無線装置部間で直接通信する手段がない。そのため、同一の無線制御部に接続するあるＣＰＲＩリンクが切れた場合に、他のＣＰＲＩリンク内に十分な空き回線容量があっても、その空き回線を利用して切れたＣＰＲＩリンクのデータを転送することができない。従って、切れたＣＰＲＩリンクの配下のセクタが通信不能状態に陥るという問題点がある。【００１１】
また、前記特許文献１に開示された伝送路救済方式は、デジタル交換機と搬送装置を備えた局同士の間の伝送路に障害が発生した場合に、その障害区間の伝送路を他局経由の迂回経路で確保するものである。従って、この救済方式を適用して、または、この救済方式に基づいて、無線基地局装置内の無線制御部と無線装置部の間のＣＰＲＩリンク断を救済することはできない。【００１２】
本発明は、上記に鑑みてなされたものであって、ＣＰＲＩを用いた無線基地局装置内のＣＰＲＩリンク断を救済することができる無線基地局装置、無線装置およびリンク断救済方法を提供することを目的とする。
【課題を解決するための手段】
【００１３】
上述した課題を解決し、目的を達成するために、本発明は、以下の特徴を有する。無線基地局装置は、無線制御部、無線装置部および無線装置部間転送手段を備える。無線制御部は、異なるアンテナキャリア向けのＩＱデータを合成して１つのＣＰＲＩリンクに送信する。また、無線制御部は、合成したＩＱデータのマッピング情報を生成して全ての無線装置部へ送信する。無線装置部は、無線制御部からＩＱの合成データとそのマッピング情報を受け取る。そして、無線装置部は、その合成データを各アンテナキャリアのＩＱデータに分解し、各ＩＱデータをマッピング情報に基づいて自身宛または他の無線装置部宛に送信する。無線装置部間転送手段は、無線装置部から他の無線装置部宛のＩＱデータを受け取り、そのＩＱデータを該当する他の無線装置部へ転送する。【００１４】
この発明によれば、複数の無線装置部が互いに独立したＣＰＲＩリンクにより無線制御部に接続された無線基地局装置において、いずれかのＣＰＲＩリンクが切れると、その切れたＣＰＲＩリンクを介して送信されるはずであったＩＱデータは、切れていない他のＣＰＲＩリンクを介して送信されるＩＱデータに合成され、その切れていない他のＣＰＲＩリンクを介して送信される。送信されたＩＱの合成データは、その送信に用いられたＣＰＲＩリンクの接続先である無線装置部において分解される。そして、切れたＣＰＲＩリンクを介して送信されるはずであったＩＱデータは、合成データのマッピング情報に基づいて、切れたＣＰＲＩリンクの接続先である無線装置部に転送される。
【発明の効果】
【００１５】
本発明にかかる無線基地局装置、無線装置および無線基地局装置内のリンク断救済方法は、ＣＰＲＩを用いた無線基地局装置内のＣＰＲＩリンク断を救済することができるという効果を奏する。
【図面の簡単な説明】
【００１６】
【図１】図１は、本発明にかかる無線基地局装置の実施例の構成を示す図である。
【図２】図２は、ＣＰＲＩリンク状態管理テーブルの一例を示す図である。
【図３】図３は、ＩＱパス管理テーブルの一例を示す図である。
【図４】図４は、Ｃ＆Ｍ経路管理テーブルの一例を示す図である。
【図５】図５は、セル優先度テーブルの一例を示す図である。
【図６】図６は、２つのセクタのＩＱデータを収容した場合のＩＱデータブロック上のビットマップの例を示す図である。
【図７】図７は、ベンダースペシフィック領域のＩＰアドレス格納領域を示す図である。
【図８】図８は、本発明にかかるＣＰＲＩリンク断救済方法による処理の流れを示す図である。
【図９】図９は、本発明にかかるＣＰＲＩリンク断救済方法による処理の流れを示す図である。
【図１０】図１０は、ＣＰＲＩリンクに空き容量がある場合のＣＰＲＩリンク断前のデータ伝送状態を示す図である。
【図１１】図１１は、ＣＰＲＩリンクに空き容量がある状態でのＣＰＲＩリンク断後のデータ伝送状態を示す図である。
【図１２】図１２は、ＣＰＲＩリンクに空き容量がない場合のＣＰＲＩリンク断前のデータ伝送状態を示す図である。
【図１３】図１３は、ＣＰＲＩリンクに空き容量がない状態でのＣＰＲＩリンク断後のデータ伝送状態を示す図である。
【図１４】図１４は、従来の無線基地局装置の構成を示す図である。
【図１５】図１５は、ＣＰＲＩで定義されるプロトコルの概要を示す図である。
【図１６】図１６は、コントロール・アンド・マネージメント情報プレーンの信号フォーマットの例を示す図である。
【図１７】図１７は、コントロール・アンド・マネージメント情報プレーンのパラメータの例を示す図である。
【図１８】図１８は、コントロール・アンド・マネージメント情報プレーンのパラメータの例を示す図である。
【図１９】図１９は、コントロール・アンド・マネージメント情報プレーンのパラメータの例を示す図である。
【図２０】図２０は、コントロール・アンド・マネージメント情報プレーンのパラメータの例を示す図である。
【図２１】図２１は、コントロール・アンド・マネージメント情報プレーンのパラメータの例を示す図である。
【図２２】図２２は、コントロール・アンド・マネージメント情報プレーンのパラメータの例を示す図である。
【図２３】図２３は、ＩＱデータブロック上のビットマップの例を示す図である。
【図２４】図２４は、ＩＱデータブロック上のビットマップの例を示す図である。
【図２５】図２５は、ＩＱデータブロック上のビットマップの例を示す図である。
【図２６】図２６は、ＩＱデータブロック上のビットマップの例を示す図である。
【符号の説明】
【００１７】
４１  無線基地局装置
４２  無線制御部
４３，４４，４５  無線装置部
４６，４７，４８  ＣＰＲＩリンク
４９  無線装置部間ＩＱスイッチ
５０  無線装置部間Ｃ＆Ｍ経路
５３  Ｃ＆Ｍ経路管理テーブル
５４  セル優先度テーブル
６１，６３，６５  ＩＱスイッチ
６２，６４，６６  無線部
【発明を実施するための最良の形態】
【００１８】
以下に、本発明にかかる実施例を図面に基づいて詳細に説明する。なお、この実施例によりこの発明が限定されるものではない。以下の説明において、各無線装置部を区別して説明する場合には、無線装置部＃１、無線装置部＃２および無線装置部＃ｎをする。ＣＰＲＩリンクについても同様である。【００１９】
図１は、本発明にかかる無線基地局装置の実施例の構成を示す図である。図１に示すように、無線基地局装置４１は、無線制御部４２、複数の無線装置部４３，４４，４５、ＣＰＲＩリンク４６，４７，４８、無線装置部間転送手段としての機能を有する無線装置部間ＩＱスイッチ４９、および無線装置部間経路としての機能を有する無線装置部間Ｃ＆Ｍ経路５０を備えている。【００２０】
無線制御部４２は、無線装置部４３，４４，４５による無線通信の監視制御を司る。また、無線制御部４２は、異なるアンテナキャリア向けのＩＱデータを合成して同一のＣＰＲＩリンクに送信する機能を有する。さらに、無線制御部４２は、その合成されたＩＱデータのマッピング情報を生成し、いずれかのＣＰＲＩリンクと無線装置部間Ｃ＆Ｍ経路５０を介して無線装置部４３，４４，４５へ送信する。マッピング情報は、ベンダースペシフィック（Ｖｅｎｄｅｒ  Ｓｐｅｃｉｆｉｃ）領域３２（図１５参照）に格納されて送信される。無線制御部４２は、無線装置部４３，４４，４５との通信状態を管理するために、ＣＰＲＩリンク状態管理テーブル５１、ＩＱパス管理テーブル５２、Ｃ＆Ｍ経路管理テーブル５３およびセル優先度テーブル５４を備えている。【００２１】
図２は、ＣＰＲＩリンク状態管理テーブルの一例を示す図である。ＣＰＲＩリンク状態管理テーブル５１では、無線装置部＃１＿４３、無線装置部＃２＿４４および無線装置部＃ｎ＿４５にそれぞれ接続するＣＰＲＩリンク４６，４７，４８に＃１、＃２および＃ｎの番号が付与されている。ＣＰＲＩリンク状態管理テーブル５１は、無線装置部＃１＿４３とＣＰＲＩリンク＃１＿４６の接続状態、無線装置部＃２＿４４とＣＰＲＩリンク＃２＿４７の接続状態、および無線装置部＃ｎ＿４５とＣＰＲＩリンク＃ｎ＿４８の接続状態を管理するテーブルである。無線制御部４２は、ＣＰＲＩリンク状態管理テーブル５１を参照することによって、ＣＰＲＩリンクの接続が切れたことと、その接続が切れたＣＰＲＩリンクがどれであるかということを瞬時に知ることができる。【００２２】
図３は、ＩＱパス管理テーブルの一例を示す図である。ＩＱパス管理テーブル５２は、各ＣＰＲＩリンク４６，４７，４８のＩＱデータ格納領域にどのセクタのどのキャリアの情報が格納されているか、ということを管理するテーブルである。無線制御部４２は、ＩＱパス管理テーブル５２を参照することによって、どのＣＰＲＩリンクを使って各無線装置部４３，４４，４５とＩＱデータの授受を行っているか、ということと、各ＣＰＲＩリンク４６，４７，４８のＩＱデータ格納領域に空きがあるか否か、ということを知ることができる。【００２３】
図４は、Ｃ＆Ｍ経路管理テーブルの一例を示す図である。Ｃ＆Ｍ経路管理テーブル５３は、コントロール・アンド・マネージメント情報プレーン２３（図１５参照）の情報を伝送するための経路（以下、Ｃ＆Ｍ経路とする）がどのＣＰＲＩリンクを経由しているか、ということと、各無線装置部４３，４４，４５へコントロール・アンド・マネージメント情報プレーン２３（図１５参照）の情報を送信するためのＩＰアドレスを管理するテーブルである。このＩＰアドレスは、ベンダースペシフィック領域３２（図１５参照）に格納されて送信される。【００２４】
無線制御部４２は、各無線装置部４３，４４，４５に、Ｃ＆Ｍ経路管理テーブル５３に格納されているＩＰアドレスを割り振る。従って、Ｃ＆Ｍ経路管理テーブル５３は、アドレス供給手段としての機能を有する。また、無線制御部４２は、Ｃ＆Ｍ経路管理テーブル５３を参照することによって、どのＣＰＲＩリンクを経由してＣ＆Ｍ経路にコントロール・アンド・マネージメント情報プレーン２３（図１５参照）の情報を送ればよいか、ということと、その情報を送る際の宛先ＩＰアドレスを知ることができる。無線制御部４２が各無線装置部４３，４４，４５にコントロール・アンド・マネージメント情報プレーン２３の情報を転送することによって、無線制御部４２は、各セクタのＩＱデータをセル単位で制御することが可能となる。【００２５】
図５は、セル優先度テーブルの一例を示す図である。セル優先度テーブル５４は、各セクタの各キャリアについて、優先度と、送信ダイバーシティの有無および受信ダイバーシティの有無を制御するテーブルである。無線制御部４２は、このセル優先度テーブル５４の格納情報を変更することによって、各セクタの各キャリアについて、送信ダイバーシティの有無および受信ダイバーシティの有無を動的に制御することができる。従って、セル優先度テーブル５４は、ダイバーシティ制御手段としての機能を有する。【００２６】
無線制御部４２がダイバーシティの制御を動的に行うことによって、切れたＣＰＲＩリンクを迂回する際に、その迂回路となる他のＣＰＲＩリンク内のデータ領域を動的に生成することが可能となる。また、無線制御部４２は、セル優先度テーブル５４を参照することによって、各セクタの各キャリアについて、優先度と、送信ダイバーシティの有無および受信ダイバーシティの有無を知ることができる。【００２７】
前記無線装置部４３，４４，４５は、ＩＱデジタル信号の送受信機能と、アナログ無線機能を有する。図１に示すように、無線装置部４３，４４，４５は、各無線装置部４３，４４，４５は、互いに独立したＣＰＲＩリンク４６，４７，４８を介して無線制御部４２に接続されている。また、無線装置部４３，４４，４５は、無線装置間Ｃ＆Ｍ経路５０を介して相互に接続されている。従って、特に図示しないが、無線装置部４３，４４，４５は、無線装置部間Ｃ＆Ｍ経路５０との接続のためのインタフェースを備えている。【００２８】
各無線装置部４３，４４，４５は、ＩＱデータの送受信を行う無線部６２，６４，６６と、ＩＱデータの方路を切り替える転送先切り替え手段としての機能を有するＩＱスイッチ６１，６３，６５を備えている。無線装置部４３，４４，４５は、ＣＰＲＩリンク４６，４７，４８を介して無線制御部４２からＩＱの合成データとマッピング情報とＩＰアドレスを受け取る。あるいは、無線装置部４３，４４，４５は、自身に接続するＣＰＲＩリンクが切れている場合には、無線装置部間ＩＱスイッチ４９を経由してＩＱデータを受け取り、無線装置部間Ｃ＆Ｍ経路５０を経由してマッピング情報とＩＰアドレスを受け取る。【００２９】
無線装置部４３，４４，４５は、特に図示しないが、アドレス設定手段を有しており、受け取ったＩＰアドレスを自身のＩＰアドレスに設定する。無線装置部４３，４４，４５は、このＩＰアドレスに基づいて、他の無線装置部との間でマッピング情報の送受信を行う。また、無線装置部４３，４４，４５は、マッピング情報に基づいて合成データを各アンテナキャリアのＩＱデータに分解する。そして、無線装置部４３，４４，４５は、マッピング情報に基づいて、ＩＱスイッチ６１，６３，６５の方路を切り替え、自身宛のＩＱデータを自身の無線部６２，６４，６６へ送信し、他の無線装置部宛のＩＱデータを無線装置部間ＩＱスイッチ４９へ送信する。他の無線装置部宛のＩＱデータを無線装置部間ＩＱスイッチ４９へ送信する際には、無線装置部４３，４４，４５は、無線装置部間ＩＱスイッチ４９の方路を設定する。【００３０】
無線装置部間ＩＱスイッチ４９は、各ＩＱスイッチ６１，６３，６５と同様に、ＩＱデータの方路を切り替えるためのスイッチである。無線装置部間ＩＱスイッチ４９は、無線装置部４３，４４，４５から他の無線装置部宛のＩＱデータを受け取ると、そのＩＱデータを該当する無線装置部へ転送する。ここでは、無線装置部間ＩＱスイッチ４９およびＩＱスイッチ６１，６３，６５として、一般的なＩＱスイッチを用いることができる。【００３１】
図６は、一例として、２つのセクタ（図では、Ｓ１、Ｓ２と表記）のＩＱデータを同一のＣＰＲＩリンクのＩＱデータ領域に収容した場合のＩＱデータブロック上のビットマップを示す図である。図６では、Ｃ１〜Ｃ４の４つのセルおよびＣ５〜Ｃ８の４つのセルに、それぞれ、「Ｓ１」および「Ｓ２」が付されているが、実際には、これらのセクタの情報は、前記マッピング情報としてベンダースペシフィック領域３２に格納される。【００３２】
図７は、ベンダースペシフィック領域のＩＰアドレスが格納される領域を示す図である。図７に示すように、無線装置部ごとに、無線装置部のＩＤ番号と、ＩＰアドレスやＭＡＣアドレスなどが格納される。各無線装置部は、自身のＩＤ番号に基づいて、ベンダースペシフィック領域３２に格納されている情報からＩＰアドレスを取得し、ＩＰアドレスの設定を行う。そうすることによって、各無線装置部の間に無線装置部間Ｃ＆Ｍ経路５０が生成される。【００３３】
次に、本発明にかかるＣＰＲＩリンク断救済方法について説明する。図８および図９は、本発明にかかるＣＰＲＩリンク断救済方法による処理の流れを示す図である。ここでは、無線基地局装置は、無線制御部、無線装置部＃１、無線装置部＃＊、無線装置部＃ｎおよび無線装置部間ＩＱスイッチを備えており、無線装置部＃＊に接続するＣＰＲＩリンクが切れた場合について説明する。【００３４】
無線制御部と無線装置部＃１、無線装置部＃＊および無線装置部＃ｎとの間のＣＰＲＩリンクが確立されている状態では、従来同様に、無線制御部は、各無線装置部＃１、無線装置部＃＊および無線装置部＃ｎに、それぞれに接続するＣＰＲＩリンクを介して、それぞれの装置部宛のＩＱデータを送る。各無線装置部＃１、無線装置部＃＊および無線装置部＃ｎは、自身の無線部から対応するセクタの移動端末へＩＱデータを送信する。また、各無線装置部＃１、無線装置部＃＊および無線装置部＃ｎは、自身の無線部により、対応するセクタの移動端末からＩＱデータを受信し、そのＩＱデータを、それぞれに接続するＣＰＲＩリンクを介して無線制御部へ送る。【００３５】
この状態で、無線装置部＃＊に接続するＣＰＲＩリンクが切れると、無線制御部は、ＣＰＲＩリンク状態管理テーブルにより、無線装置部＃＊のリンク断を検出する（ステップＳ１）。次いで、無線制御部は、ＩＱパス管理テーブルを参照して、無線装置部＃＊の収容セル数を確認する（ステップＳ２）。また、無線制御部は、Ｃ＆Ｍ経路管理テーブルを参照して、無線装置部＃＊へコントロール・アンド・マネージメント情報プレーンの情報を転送する経路を確認する（ステップＳ３）。そして、無線制御部は、無線装置部＃＊に、他の無線装置部への接続があるか否かを判断する（ステップＳ４）。【００３６】
他の無線装置部への接続がない場合（ステップＳ４：Ｎｏ）、迂回処理を終了する。この場合、ＣＰＲＩリンク断は救済されない。一方、他の無線装置部への接続がある場合（ステップＳ４：Ｙｅｓ）には、無線制御部は、その他の無線装置部への接続経路を、コントロール・アンド・マネージメント情報プレーンの情報を転送する迂回経路にするように、Ｃ＆Ｍ経路管理テーブルを変更する（ステップＳ５）。このテーブル更新に伴って、無線装置部＃１および無線装置部＃ｎは、それぞれ、Ｃ＆Ｍ経路の迂回路の設定を行う（ステップＳ２１、ステップＳ２２）。【００３７】
そして、無線装置部＃１は、無線装置部＃＊にＣ＆Ｍ経路の迂回路の情報を渡す。無線装置部＃＊は、その迂回路の情報を受け取り、Ｃ＆Ｍ経路の迂回路の設定を行う（ステップＳ２３）。これ以降、無線装置部＃＊は、他の無線装置部、ここでは、無線装置部＃１を経由してコントロール・アンド・マネージメント情報プレーンの情報を送受信する。【００３８】
一方、無線制御部は、ステップＳ５においてＣ＆Ｍ経路管理テーブルを変更した後、ＩＱパス管理テーブルを参照して、ＩＱパスの空き数を確認する（ステップＳ６）。そして、無線制御部は、ＩＱパスの空き数が無線装置部＃＊の収容セル数よりも多いか否かを判断する（ステップＳ７）。ＩＱパスの空き数の方が多い場合（ステップＳ７：Ｙｅｓ）、無線制御部は、無線装置部＃＊の収容セルを各ＣＰＲＩリンクの空いているＩＱ格納箇所に設定する（ステップＳ８）。【００３９】
一方、無線装置部＃＊の収容セル数の方が多い場合（ステップＳ７：Ｎｏ）、無線制御部は、セル優先度テーブルを参照して、無線基地局装置の収容セルの優先度を確認し、ダイバーシティの有無や優先度に基づいて、救済するセルの数を決定したり、救済するセル数分の空きを生成する（ステップＳ９）。次いで、無線制御部は、ＩＱパス管理テーブルを変更し、無線装置部＃＊の収容セルの割り当て内容を反映させる（ステップＳ１０）。次いで、無線制御部は、ベンダースペシフィック領域にＩＱパスの管理情報（方路情報）を追加して、無線装置部＃１および無線装置部＃ｎへ送付する（ステップＳ１１）。【００４０】
無線装置部＃１および無線装置部＃ｎは、ＩＱパスの管理情報（方路情報）を受け取り、それぞれ、自身のＩＱスイッチの設定を行う（ステップＳ２４、ステップＳ２５）。そして、無線装置部＃１は、ＩＱパスの管理情報（方路情報）を無線装置部＃＊へ転送する。無線装置部＃＊は、そのＩＱパスの管理情報（方路情報）を受け取り、自身のＩＱスイッチの設定を行う（ステップＳ２６）。また、無線装置部＃１は、ＩＱパスの管理情報（方路情報）を無線装置部間ＩＱスイッチへ転送する。無線装置部間ＩＱスイッチは、そのＩＱパスの管理情報（方路情報）を受け取り、ＩＱスイッチの設定を行う（ステップＳ２７）。このようにして、無線装置部＃*のリンク断の救済処理が完了する。【００４１】
次に、図１０〜図１３を参照しながら、ＣＰＲＩリンクが切れたときに、その切れたＣＰＲＩリンクの収容セルを他のＣＰＲＩリンクで救済する場合について具体的に説明する。まず、切れたＣＰＲＩリンクの収容セルをＩＱパスの空き数で賄うことができる場合の例について説明する。図１０は、ＣＰＲＩリンクに空き容量がある場合のＣＰＲＩリンク断前のデータ伝送状態を示す図である。【００４２】
図１０に示す例では、無線装置部＃１＿４３へのＣＰＲＩリンクは、２キャリアのダイバーシティ有りの構成である。従って、無線装置部＃１＿４３へのＩＱデータブロックには、４セル分のＩＱデータ７１が格納されており、４セル分の空き容量がある。無線装置部＃１＿４３のＩＱスイッチ（図示省略）は、４セル分のＩＱデータ７１を無線装置部＃１＿４３内の無線部（図示省略）へ転送する。無線装置部＃１＿４３は、自身の無線部（図示省略）からセクタ１＿９の移動端末１２へ４セル分のＩＱデータ７４を送信する。【００４３】
また、無線装置部＃２＿４４へのＣＰＲＩリンクは、４キャリアのダイバーシティなしの構成である。従って、無線装置部＃２＿４４へのＩＱデータブロックには、４セル分のＩＱデータ７２が格納されており、４セル分の空き容量がある。無線装置部＃２＿４４のＩＱスイッチ（図示省略）は、４セル分のＩＱデータ７２を無線装置部＃２＿４４内の無線部（図示省略）へ転送する。無線装置部＃２＿４４は、自身の無線部（図示省略）からセクタ２＿１０の移動端末１３へ４セル分のＩＱデータ７５を送信する。【００４４】
また、無線装置部＃ｎ＿４５へのＣＰＲＩリンクは、４キャリアのダイバーシティ有りの構成である。従って、無線装置部＃ｎ＿４５へのＩＱデータブロックには、８セル分のＩＱデータ７３が格納されており、空き容量はない。無線装置部＃ｎ＿４５のＩＱスイッチ（図示省略）は、８セル分のＩＱデータ７３を無線装置部＃ｎ＿４５内の無線部（図示省略）へ転送する。無線装置部＃ｎ＿４５は、自身の無線部（図示省略）からセクタｎ＿１１の移動端末１４へ８セル分のＩＱデータ７６を送信する。【００４５】
この状態で、無線装置部＃１＿４３へのＣＰＲＩリンクが切れたとする。図１１は、この場合のＣＰＲＩリンク断後のデータ伝送状態を示す図である。図１１に示す例では、無線制御部４２は、無線装置部＃１＿４３への４セル分のＩＱデータ７１を、無線装置部＃２＿４４へのＣＰＲＩリンクの４セル分の空き容量に割り当てる。無線制御部４２は、無線装置部＃２＿４４への４セル分のＩＱデータ７２と無線装置部＃１＿４３への４セル分のＩＱデータ７７を合成して無線装置部＃２＿４４へ送る。【００４６】
無線装置部＃２＿４４のＩＱスイッチ（図示省略）は、自身宛の４セル分のＩＱデータ７２を無線装置部＃２＿４４内の無線部（図示省略）へ転送し、無線装置部＃１＿４３宛の４セル分のＩＱデータ７７を図示省略した無線装置部間ＩＱスイッチへ転送する。無線装置部＃２＿４４は、自身の無線部（図示省略）からセクタ２＿１０の移動端末１３へ４セル分のＩＱデータ７５を送信する。無線装置部間ＩＱスイッチは、無線装置部＃１＿４３宛の４セル分のＩＱデータ７８を無線装置部＃１＿４３へ転送する。【００４７】
無線装置部＃１＿４３のＩＱスイッチ（図示省略）は、４セル分のＩＱデータ７８を無線装置部＃１＿４３内の無線部（図示省略）へ転送する。無線装置部＃１＿４３は、自身の無線部（図示省略）からセクタ１＿９の移動端末１２へ４セル分のＩＱデータ７９を送信する。セクタ１＿９の移動端末１２から送信されてきたＩＱデータは、逆の経路を辿って無線制御部４２へ送られる。無線装置部＃ｎ＿４５については、無線装置部＃１＿４３へのＣＰＲＩリンクが切れる前の状態と同じである。【００４８】
次に、切れたＣＰＲＩリンクの収容セルをＩＱパスの空き数で賄うことができない場合の例を説明する。図１２は、ＣＰＲＩリンクに空き容量がない場合のＣＰＲＩリンク断前のデータ伝送状態を示す図である。図１２に示す例では、無線装置部＃１＿４３、無線装置部＃２＿４４および無線装置部＃ｎ＿４５への各ＣＰＲＩリンクは、いずれも、４キャリアのダイバーシティ有りの構成である。従って、無線装置部＃１＿４３、無線装置部＃２＿４４および無線装置部＃ｎ＿４５への各ＩＱデータブロックには、それぞれ、８セル分のＩＱデータ８１，８２，８３が格納されており、空き容量はない。【００４９】
この場合、無線装置部＃１＿４３は、自身の無線部（図示省略）からセクタ１＿９の移動端末１２へ８セル分のＩＱデータ８４を送信する。無線装置部＃２＿４４は、自身の無線部（図示省略）からセクタ２＿１０の移動端末１３へ８セル分のＩＱデータ８５を送信する。無線装置部＃ｎ＿４５は、自身の無線部（図示省略）からセクタｎ＿１１の移動端末１４へ８セル分のＩＱデータ８６を送信する。【００５０】
この状態で、無線装置部＃１＿４３へのＣＰＲＩリンクが切れたとする。この場合、全てのＣＰＲＩリンクに空きがないので、予め設定されているセル優先度に従い、優先順位の低いセルを未使用化することによって、ＣＰＲＩリンクに空き回線を生成する必要がある。そして、生成した空き回線を用いて無線装置部＃１＿４３への優先度の高い情報を救済する。ここでは、優先順位の一例として、各セクタについて１と２のキャリアを最優先とし、ダイバーシティ構成のブランチ１側を低優先とする。【００５１】
図１３は、この場合のＣＰＲＩリンク断後のデータ伝送状態を示す図である。なお、図１２および図１３に示す例において、Ｃ１とＣ２がキャリア１であり、Ｃ３とＣ４がキャリア２であり、Ｃ５とＣ６がキャリア３であり、Ｃ７とＣ８がキャリア４である。また、Ｃ１、Ｃ３、Ｃ５およびＣ７が各キャリアのブランチ０であり、Ｃ２、Ｃ４、Ｃ６およびＣ８が各キャリアのブランチ１である。従って、優先度の大小関係は、［Ｃ１、Ｃ３、Ｃ５、Ｃ７］＞［Ｃ２、Ｃ４］＞［Ｃ６、Ｃ８］である。【００５２】
図１３に示す例では、無線制御部４２は、無線装置部＃１＿４３、無線装置部＃２＿４４および無線装置部＃ｎ＿４５の構成情報と優先順位に基づいて、空き回線を生成するために各無線装置部４３，４４，４５の回線構成を変更する。上述した優先順位の場合、無線装置部＃１＿４３へのＣ１、Ｃ３、Ｃ５およびＣ７の４セル分の空き回線が必要となる。そこで、無線制御部４２は、無線装置部＃２＿４４および無線装置部＃ｎ＿４５を、４キャリアのダイバーシティ有りの構成から、１と２のキャリアについてはダイバーシティ有りで、３と４のキャリアについてはダイバーシティなしの構成に変更する。これによって、無線装置部＃２＿４４および無線装置部＃ｎ＿４５への各ＣＰＲＩリンクには、２セル分の空き容量ができる。【００５３】
無線制御部４２は、無線装置部＃１＿４３への救済すべき２セル分のＩＱデータを、無線装置部＃２＿４４へのＣＰＲＩリンクの２セル分の空き容量に割り当て、無線装置部＃２＿４４へのＣ１〜Ｃ５およびＣ７の６セル分のＩＱデータ９１と無線装置部＃１＿４３へのＣ１とＣ３の２セル分のＩＱデータ９２を合成して無線装置部＃２＿４４へ送る。また、無線制御部４２は、無線装置部＃１＿４３への救済すべき別の２セル分のＩＱデータを、無線装置部＃ｎ＿４５へのＣＰＲＩリンクの２セル分の空き容量に割り当て、無線装置部＃ｎ＿４５へのＣ１〜Ｃ５およびＣ７の６セル分のＩＱデータ９３と無線装置部＃１＿４３へのＣ５とＣ７の２セル分のＩＱデータ９４を合成して無線装置部＃ｎ＿４５へ送る。【００５４】
無線装置部＃ｎ＿４５のＩＱスイッチ（図示省略）は、自身宛の６セル分のＩＱデータ９３を無線装置部＃ｎ＿４５内の無線部（図示省略）へ転送し、無線装置部＃１＿４３宛の２セル分のＩＱデータ９４を図示省略した無線装置部間ＩＱスイッチへ転送する。無線装置部＃ｎ＿４５は、自身の無線部（図示省略）からセクタｎ＿１１の移動端末１４へ６セル分のＩＱデータ９６を送信する。無線装置部間ＩＱスイッチは、無線装置部＃１＿４３宛の２セル分のＩＱデータ９７を無線装置部＃１＿４３へ転送する。【００５５】
無線装置部＃２＿４４のＩＱスイッチ（図示省略）は、自身宛の６セル分のＩＱデータ９１を無線装置部＃２＿４４内の無線部（図示省略）へ転送し、無線装置部＃１＿４３宛の２セル分のＩＱデータ９２を図示省略した無線装置部間ＩＱスイッチへ転送する。無線装置部＃２＿４４は、自身の無線部（図示省略）からセクタ２＿１０の移動端末１３へ６セル分のＩＱデータ９５を送信する。無線装置部間ＩＱスイッチは、無線装置部＃ｎ＿４５から転送されてきた無線装置部＃１＿４３宛の２セル分と、無線装置部＃２＿４４から転送されてきた無線装置部＃１＿４３宛の２セル分からなる４セル分のＩＱデータ９８を無線装置部＃１＿４３へ転送する。【００５６】
無線装置部＃１＿４３のＩＱスイッチ（図示省略）は、４セル分のＩＱデータ９８を無線装置部＃１＿４３内の無線部（図示省略）へ転送する。無線装置部＃１＿４３は、自身の無線部（図示省略）からセクタ１＿９の移動端末１２へ４セル分のＩＱデータ９９を送信する。セクタ１＿９の移動端末１２から送信されてきたＩＱデータは、逆の経路を辿って無線制御部４２へ送られる。【００５７】
以上説明したように、実施例によれば、切れたＣＰＲＩリンクを介して送信されるはずであったＩＱデータが、切れていない他のＣＰＲＩリンクのＩＱデータに合成されて送信されるので、ＣＰＲＩを用いた無線基地局装置内のＣＰＲＩリンク断を救済することができるという効果を奏する。
【産業上の利用可能性】
【００５８】
以上のように、本発明は、無線通信システムに有用であり、特に、無線基地局装置内の接続にＣＰＲＩリンクを用いる構成に適している。
【図１】
2008146394.tif 000003
【図２】
2008146394.tif 000004
【図３】
2008146394.tif 000005
【図４】
2008146394.tif 000006
【図５】
2008146394.tif 000007
【図６】
2008146394.tif 000008
【図７】
2008146394.tif 000009
【図８】
2008146394.tif 000010
【図９】
2008146394.tif 000011
【図１０】
2008146394.tif 000012
【図１１】
2008146394.tif 000013
【図１２】
2008146394.tif 000014
【図１３】
2008146394.tif 000015
【図１４】
2008146394.tif 000016
【図１５】
2008146394.tif 000017
【図１６】
2008146394.tif 000018
【図１７】
2008146394.tif 000019
【図１８】
2008146394.tif 000020
【図１９】
2008146394.tif 000021
【図２０】
2008146394.tif 000022
【図２１】
2008146394.tif 000023
【図２２】
2008146394.tif 000024
【図２３】
2008146394.tif 000025
【図２４】
2008146394.tif 000026
【図２５】
2008146394.tif 000027
【図２６】
2008146394.tif 000028
【国際調査報告】
2008146394.tif 000029
2008146394.tif 000030